(57)【要約】  ベース領域（２ａ）、側方領域（２ｂ）、それらの間に位置する縁領域（２ｃ）、及び切断縁（２ｄ）を持つ電池カップ（２）と、カバー領域（３ａ）、側方領域（３ｂ）、それらの間に位置する縁領域（３ｃ）及び切断縁（３ｄ）を持つ電池カバー（３）とを互いにシール（４）を介して連結しているハウジング（１）を持つボタン電池を製造するための方法を提供する。この方法は、シール（４）を側方領域（３ｂ）に少なくとも付与すること、このシール（４）を持つ電池カバー（３）を電池カップ（２）中に挿入すること、但し側方領域（２ｂ）と（３ｂ）が互いに重複する領域（５）が形成される、及び電池カップ（２）の側方領域（２ｂ）に圧力を及ぼすことを含む。側方領域（２ｂ）と（３ｂ）の高さは、切断縁（２ｄ）がこの圧力により側方領域（３ｂ）に対して押圧されるような方法で互いに整合される。この方法により製造されたボタン電池の電池カップ（２）は領域（５）内で切断縁（２ｄ）の方向に本質的に一定である内径を持つ。【選択図】  図２
2012523067.tif 000002
【特許請求の範囲】
【請求項１】
−  ベース領域（２ａ）、側方領域（２ｂ）、それらの間に位置する縁領域（２ｃ）、及び切断縁（２ｄ）を持つ電池カップ（２）と、
−  カバー領域（３ａ）、側方領域（３ｂ）、それらの間に位置する縁領域（３ｃ）、及び切断縁（３ｄ）を持つ電池カバー（３）と、
を含み、
−  それらが互いにシール（４）を介して連結されている、
ハウジング（１）を持つボタン電池を製造するための方法であって、
−  電池カバー（３）の側方領域（３ｄ）にシール（４）を付与すること、
−  シール（４）を持つ電池カバー（３）を電池カップ（２）中に押し込むこと、但し側方領域（２ｂ）と（３ｂ）が互いに重複する領域（５）が形成される、及び
−  ハウジング（１）をシールするために電池カップ（２）の側方領域（２ｂ）上に圧力を及ぼすこと、
を含み、
さらに側方領域（２ｂ）と（３ｂ）の高さが、切断縁（２ｄ）が側方領域（３ｂ）に対してこの圧力により押圧されるような方法で、互いに整合されることを特徴とする方法。
【請求項２】
シール（４）を持つ電池カバー（３）が押し込まれる電池カップ（２）が、その直径が切断縁（２ｄ）の方向に増加するように、側方領域（２ｂ）の少なくとも一部で円錐形であることを特徴とする請求項１に記載の方法。
【請求項３】
円錐角が１０分〜３度、特に３０分〜１度３０分であることを特徴とする請求項１または２に記載の方法。
【請求項４】
電池カップ（２）中に押し込まれるシール（４）を持つ電池カバー（３）が、側方領域（３ｂ）の少なくとも一部で、特に側方領域（２ｂ）の円錐形部分と重複して領域（５）を提供する部分で、円筒状であることを特徴とする請求項１〜３のいずれか一つに記載の方法。
【請求項５】
側方領域（２ｂ）、特に側方領域（２ｂ）の円錐形部が、電池カップ（２）の内側と電池カバー（３）の外側が重複領域（５）内で互いから本質的に同じ距離にあるように、半径方向圧力により内向きに押されることを特徴とする請求項２〜４のいずれか一つに記載の方法。
【請求項６】
シール（４）が熱可塑性樹脂、特に熱可塑性プラスチックフィルムから構成されたシールであることを特徴とする請求項１〜５のいずれか一つに記載の方法。
【請求項７】
シール（４）が５０μｍ〜２５０μｍ、好ましくは７０μｍ〜１５０μｍの範囲内の、特に好ましくは約１００μｍの初期厚さを持つことを特徴とする請求項１〜６のいずれか一つに記載の方法。
【請求項８】
電池カップ（２）中に挿入される電池カバー（３）の切断縁（３ｄ）での外径と、側方領域（３ｂ）と重複して領域（５）を提供する側方領域（２ｂ）のその部分内の電池カップ（２）の最小内径との間の差がシール（４）の初期厚さ未満であることを特徴とする請求項７に記載の方法。
【請求項９】
電池カバー（３）の電池カップ（２）中への挿入後に側方領域（２ｂ）の一部が半径方向の内向きに絞り込まれることを特徴とする請求項１〜８のいずれか一つに記載の方法。
【請求項１０】
電池カップ（２）と電池カバー（３）を含み、それらが互いにシール（４）を介して連結されているハウジング（１）を持つボタン電池であって、
電池カップ（２）がベース領域（２ａ）、側方領域（２ｂ）、それらの間に位置する縁領域（２ｃ）、及び切断縁（２ｄ）を含み、
電池カバー（３）がカバー領域（３ａ）、側方領域（３ｂ）、それらの間に位置する縁領域（３ｃ）、及び切断縁（３ｄ）を含み、
電池カバー（３）が、側方領域（２ｂ）と（３ｄ）が領域（５）内で重複するように電池カップ（２）中に挿入され、電池カップ（２）の内径が領域（５）内で切断縁（２ｄ）の方向に本質的に一定であることを特徴とするボタン電池。
【請求項１１】
電池カップ（２）と電池カバー（３）の間がもっぱら圧力嵌めを介して連結されることを特徴とする請求項１０に記載のボタン電池。
【請求項１２】
切断縁（２ｄ）が側方領域（３ｂ）に隣接することを特徴とする請求項１０または１１に記載のボタン電池。
【請求項１３】
電池カップ（２）の内側と電池カバー（３）の外側が重複領域（５）内で互いから本質的に同じ距離にあることを特徴とする請求項１０〜１２のいずれか一つに記載のボタン電池。
【請求項１４】
切断縁（３ｄ）が半径方向の内向きまたは半径方向の外向きにぐるりと曲げられることを特徴とする請求項１０〜１２のいずれか一つに記載のボタン電池。
【請求項１５】
重複領域（５）内の電池カップ（２）の内側と電池カバー（３）の外側の間の距離が１０μｍ〜７５μｍ、特に３０μｍ〜５０μｍであることを特徴とする請求項１０〜１２のいずれか一つに記載のボタン電池。
【請求項１６】
フィルムシール（４）が、特にポリアミドまたはポリエーテルエーテルケトンに基づく熱可塑性フィルムからなることを特徴とする請求項１０〜１５のいずれか一つに記載のボタン電池。
【請求項１７】
電池カップ（２）が３０μｍ〜１５０μｍ、特に７０μｍ〜１００μｍの壁厚を持つことを特徴とする請求項１０〜１６のいずれか一つに記載のボタン電池。
【請求項１８】
電池カバー（３）が５０μｍ〜２００μｍ、特に１００μｍ〜１３０μｍの壁厚を持つことを特徴とする請求項１０〜１７のいずれか一つに記載のボタン電池。
【請求項１９】
電池カップ（２）と電池カバー（３）が金属から、特にニッケル、鋼及び銅の順序を持つトリメタルからなることを特徴とする請求項１０〜１８のいずれか一つに記載のボタン電池。
【請求項２０】
側方領域（３ｂ）と重複しない側方領域（２ｂ）の少なくとも一部（６）が、側方領域のこの部分（６）の外径が領域（５）内の側方領域の外径未満であるように、半径方向の内向きに絞り込まれることを特徴とする請求項１０〜１９のいずれか一つに記載のボタン電池。
【請求項２１】
外径間の差が重複領域（５）内の電池カップ（２）の内側と電池カバー（３）の外側の間の距離未満であることを特徴とする請求項２０に記載のボタン電池。
【発明の詳細な説明】
【技術分野】
【０００１】
本発明は、シールを介して互いに連結されている電池カップと電池カバーを含むハウジングを持つボタン電池、及びかかる電池を製造するための方法に関する。
【背景技術】
【０００２】
ボタン電池は通常、ハウジングカップ（ハウジングパンとも呼ばれることが多い）と電池カバーを含むハウジングを持つ。例えば、電池カップと電池カバーは、打抜き引抜き部としてニッケルメッキされた深絞り金属板から製造されることができる。通常、電池カップは正極性のものであり、電池カバーは負極性のものである。ハウジングは広く異なる電気化学系、例えば亜鉛／ＭｎＯ２、一次または二次リチウム系またはニッケル／カドミウムまたはニッケル／金属水素化物のような二次系を含むことができる。
【０００３】
ボタン電池は通常、液密態様で電池カップの縁を、電池カップと電池カバーの間に配置されかつ同時にシール要素として作用し並びに電池カップと電池カバーの間の分離を提供するプラスチックリングに関連して電池カバーの縁領域の周りにフランジ付け（ｆｌａｎｇｉｎｇ）することにより閉じられる。例えば、これらのようなボタン電池はＤＥ３１１３３０９に開示されている。
【０００４】
ＤＥ１９６４７５９３は、前記プラスチックリングがフィルムから熱成形により製造されたシール要素により置き換えられたボタン電池を記載する。射出成形により製造された伝統的なシールと比べて、記載されたフィルムシールは、それらが比較的薄い厚さを、従って比較的小さな容積を持って製造されることができるという利点を持つ。フィルムシールは、著しく改善された容量を持つボタン電池を製造することを可能にする。
【０００５】
全てのこれらのボタン電池は一般的に、それらの組み立て時に電池カップ及び電池カバーの壁の比較的薄い厚さの結果として機械的負荷が付与されるときにこれが変形を導くことができるので問題が起こりうる。重要なことは特にフランジ付け工程時に付与される負荷である。フランジ付けの目標は、電池カップと電池カバーの間にぴったり合った連結を提供することである。フランジ付け時に電池カップの切断縁は電池カバーの縁上に半径方向の内向きに曲げられる。電池カップと電池カバーの間のシールはそれにより圧縮される。この工程時に軸方向負荷が発生し、それは変形に導き、さらには電池カップのベースと電池カバーの破壊さえ導きうる。カップ及びカバーが均一に分散されて負荷されない限り、電池カップ及び／または電池カバーの損傷、結果として洩れが生じうる。
【発明の概要】
【発明が解決しようとする課題】
【０００６】
本発明は、前記問題を持たない技術解決策を提供する目的に基づく、特に、目標は組み立てられるハウジング部が軸方向の機械的負荷にできるだけ少なくさらされるボタン電池を製造するための新しい方法を提供することである。製造されるボタン電池は、できるだけ簡単な構造によりかつ同時に良好な洩れ密封性及び高容量により特徴付けられるであろう。
【課題を解決するための手段】
【０００７】
この目的は、請求項１の特徴を持つ方法により達成される。本発明による方法の好適な実施態様は従属請求項２〜９に規定される。さらに、請求項１０の特徴を持つボタン電池は本発明の一部である。本発明によるボタン電池の好適な実施態様は従属請求項１１〜２１に規定される。全ての請求項の用語はここに参考としてこの明細書の内容に含まれる。
【０００８】
ボタン電池を製造するための殆ど全ての一般的な方法に類似して、本発明による方法は電池カップと電池カバーを互いにシールの上で連結する工程を含む。結合された電池カップと電池カバーはハウジングを形成し、それは電極、分離器等のようなボタン電池の標準要素のための空間を提供する。
【０００９】
本発明による方法の範囲内で使用される電池カップと電池カバーは、一様にそれぞれがベース領域／カバー領域、側方領域、ベース領域／カバー領域と側方領域の間に横たわる縁領域、及び切断縁を持つ。
【００１０】
ベース領域とカバー領域は本質的に平坦であり、一様にそれらは極として作用し、その極の電気は消費者の負担により充電される。最終ボタン電池（本発明による方法により製造されたもの）では、電池カップと電池カバーのベース領域とカバー領域は本質的に互いに平行に配置される。これとは対照的に、電池カップと電池カバーの側方領域は最終ボタン電池ではベース領域とカバー領域に本質的に直交して配置されかつ本質的に円筒状の形態を持つ。好ましくは、電池カップと電池カバーの内径と外径は側方領域内で本質的に一定である。
【００１１】
電池カップと電池カバーの前記縁領域は側方領域とベース領域またはカバー領域の間の移行部を形成する。それらは好ましくは、一方では本質的に平坦なベースとカバー領域により、他方ではそれに直角に配置された本質的に円筒状の側方領域により限定される。例えば、縁領域は鋭角の形であることができ、または丸められことができる。
【００１２】
本発明の方法によれば、一様にシールは第一工程において電池カバーの側方領域に付与される。
【００１３】
さらなる工程では、電池カバーは次いで、付与されたシールと共に、電池カップ中に、電池カップと電池カバーの側方領域が互いに重複する領域が形成されるように、挿入される。重複領域の寸法及び重複領域の非重複面積に対する比は電池カップと電池カバーの側方領域のそれぞれの高さによりかつ挿入の深さにより決定される。
【００１４】
電池カバーの側方領域に関して、電池カップの側方領域と２０％〜９９％で、特に３０％〜９９％で、特に好ましくは５０％〜９９％で重複することが好ましい（百分率はそれぞれ側方領域の高さに関する）。
【００１５】
挿入に先立ち、ボタン電池の他の標準要素（電極、分離器、電解質等）がハウジングカップ及び／またはハウジングカバー中に置かれる。
【００１６】
電池カバーが電池カップ中に完全に挿入された後、ハウジングをシールするために、圧力が電池カップの側方領域上に、特に切断縁の面積内に及ぼされる。結合されたハウジング部分はできる限り軸方向の、いずれの負荷にもさらされるべきでなく、または非常に小さい負荷にのみさらされるべきである。従って、圧力は特に半径方向に付与される。それにより電池ハウジングの外径は、既述したハウジングのシールを除き、調整されることができる。
【００１７】
本発明による方法は、特に、電池カップの切断縁が電池カバーの側方領域に対して電池カップの側方領域上の圧力により押圧されるように、電池カップと電池カバーの側方領域の高さが互いにそろうことにより特徴付けられる。従って、側方領域の高さは好ましくは電池カップの切断縁を、電池カップ中に完全に挿入された電池カバーの縁面積を越えて内向きにぐるりと曲げることができないように選ばれる。従って、電池カバーの縁面積を越える電池カップの縁のフランジ付けはない。
【００１８】
結果として、本発明による方法により製造されたボタン電池の電池カップは、切断縁の方向に本質的に一定の半径を持つ側方領域を持つ。
【００１９】
驚くべきことに、洩れ密封性及び電池カップと電池カバーを含むハウジングの一体性を提供するためにフランジ付けは必ずしも必要ではないことが見出された。本発明による方法によれば、顕著な洩れ密封性を持つボタン電池はフランジ付けなしに製造されることができる。
【００２０】
本発明による方法により製造されたボタン電池の場合、ハウジング要素の電池カップ、電池カバーとシールの間に圧力嵌め連結のみが存在することが好ましい。これは、要素が好ましくは本質的に静摩擦力によってのみ一緒に保持されることを確実にする。
【００２１】
特に好ましくは、本発明による方法で使用される電池カップは、少なくともその内径が切断縁の方向に増えるように、その側方領域の少なくとも一部で円錐形である。これは、電池カバーの電池カップ中への挿入をかなり容易にする。電池カップと電池カバーの寸法は、比較的大きな対向力が好ましくはカバーが事実上完全にカップ中に挿入されるまで発生しないように互いに調整されることが好ましい。好ましくは、テーパー角度は１０分〜３°、特に３０分〜１°３０分である。
【００２２】
好適な実施態様では、電池カップ中に挿入される付与されたシールを持つ電池カバーは側方領域の少なくとも一部で円筒状である。これは、特に電池カバーが電池カップ中に挿入された後に前記電池カップの側方領域の円錐部と重複する側方領域のその部分に関することができる。電池カバーの側方領域は特に全体的に円筒状であることが好ましい。従って、電池カバーは好ましくは側方領域内に一定の外部丸みを持つことが好ましい。これは、特に電池カバーが挿入された後に電池カップの側方領域の円錐部と重複するその部分に関することができる。
【００２３】
円筒状側方領域を持つ電池カバーが、上述されたように、その側方領域の少なくとも一部で円錐形である電池カップ中に挿入されるとき、通常、上向きに開口する隙間が電池カップと電池カバーの間に作られる。通常、この隙間は電池カップの側方領域上の圧力により閉じられる。もし適用可能なら、電池カップの側方領域上の圧力は、電池カップの側方領域の円錐部が、電池カップの内側及び電池カバーの外側が重複面積内で互いに本質的に同じ距離にある時点まで内向きに押圧されるように選ばれることができる。得られるボタン電池は互いに、特に重複面積内で平行に並んだ側方領域を持つ。
【００２４】
本発明の重要な態様は電池カップを電池カバーに連結するシールの選択である。シールは熱可塑性樹脂からなるプラスチックシールである。
【００２５】
プラスチックシールは特に好ましくは例えばＤＥ１９６４７５９３に記載されるようなフィルムシール、特に熱可塑性樹脂からなるフィルムシールである。
【００２６】
極めて均一な厚さを持つフィルムシールを作ることが可能である。適当な圧力が電池カップの側方領域に付与されるとき、これは締り嵌めをもたらし、その結果として製造されたボタン電池は優れた洩れ密封性を持つ。フィルムシールの使用は、電池カップの縁がフランジ付けされる必要性を除去し、他方でこれなしに他の重要な特徴に欠点を容認する必要性をもたらす。
【００２７】
プラスチックシール、特に本ケースの場合にはポリアミドに基づくかまたはポリエーテルエーテルケトンに基づくプラスチックフィルムを使用することが特に好ましい。
【００２８】
シールが５０μｍ〜２５０μｍ、特に好ましくは７０μｍ〜１５０μｍの範囲、特に約１００μｍの初期厚さを持つことが好ましい。用語「初期厚さ」は、電池カバーの側方領域に付与される前のシールの厚さを意味することを意図される。これとは対照的に、用語「最終厚さ」は、完成した電池のシールの厚さを意味することを意図される。少なくとも重複面積内で、これは一般的に電池カップの内側と電池カバーの外側の間の距離に相当する。
【００２９】
十分に大きな量の摩擦が電池カップと電池カバーの間に形成されることを可能にするために、カップとカバーの外径と内径の両方が互いにかつフィルムシールの厚さに整合されるべきである。これは、二つの個々の部品を一緒に保持するために十分に高い接触圧を作るための唯一の方法である。
【００３０】
本発明による方法で使用される部品のためには、電池カバーの切断縁の、電池カップ中に挿入される電池カバーの外径と、電池カバーの側方領域と重複する、電池カップの側方領域のその部分の最小内径との差が使用されるシールの初期厚さ未満であることが好ましい。この差は特に初期厚さの１０％〜９０％、特に３０％〜７０％、特に好ましくは約５０％である。
【００３１】
本発明による方法の特に好ましい実施態様では、電池カップの側方領域の一部は、電池カバーが電池カップ中に挿入された後に半径方向の内向きに絞り込まれる。これは、特に電池カバーの側方領域に重複しない側方領域のその部分に関する。
【００３２】
絞り込みのこの工程は極めて良好な洩れ密封性を達成可能にすることが見出された。カップの側方領域を内向きに絞ることは、ハウジングカップの内側に隣接する縁部分上及びハウジングカバーとハウジングカップの間に配置されたシール上に半径方向の圧力をもたらし、従ってシールはこの部分で圧縮される。
【００３３】
絞り込みの工程は前記電池カップの側方領域上の圧力の前記行使と同時に実行されることができるが、絞り込みの工程はその後の別の工程で実行されることが好ましい。
【００３４】
本発明によるボタン電池は電池カップと電池カバーを含むハウジングを持つ。電池カップと電池カバーは互いにシールを介して連結される。電池カップはベース領域、側方領域、それらの間に位置する縁領域、及び切断縁を含む。切断縁は電池カップの開口の境界を形成する。同じことが、カバー領域、側方領域、並びにそれらの間に位置する縁領域、及び切断縁を含む電池カバーに適用される。
【００３５】
本発明によるボタン電池は特に本発明による上述の方法により製造されることができる。従って、本発明による方法の範囲内で使用される要素（電池カップ、電池カバー、シール）に並びに本発明による方法により製造された最終ボタン電池の特徴に与えられた情報は、以下に述べられる本発明によるボタン電池にもまた適用される。
【００３６】
本発明によるボタン電池は特に、電池カバー及び電池カップの側方領域が重複するように電池カバーが電池カップ中に挿入され、そこでは重複面積内の電池カップの内径が切断縁への方向に本質的に一定であることを特徴とする。従って、本発明によるボタン電池は先行技術から既知のボタン電池と異なり、フランジ付けられた縁を持つカップを含まない。ボタン電池はフランジ付けなしに閉じられる。
【００３７】
これは種々の利点を持つ。ボタン電池を閉じかつシールするために本質的に半径方向力のみが必要とされ、上述のように電池カップと電池カバーが容易に変形されることができる軸方向力はほとんど発生しない。これは、製造時の工程制御を著しく容易にする。さらに、電池カップの側方領域が電池カバーの縁領域の上に上昇する必要がないので、比較的短い側方領域を持つ電池カップを使用することができる。これは、著しい材料節約をもたらし、従って費用利益を与える。
【００３８】
既に上に示したように、軸方向に電池カップと電池カバーの間に圧力嵌め連結がないことが好ましい。これとは対照的に、電池カップと電池カバーが軸方向に圧力嵌め連結によってのみ一緒に保持されるのが好ましい。
【００３９】
電池カップの切断縁が電池カバーの側方領域内に隣接することが好ましい。好ましくは、電池カップと電池カバーの側方領域の高さは、半径方向の圧力によりこの切断縁を電池カバーの側方領域に対して押圧することのみができるように互いに整合される。これは、電池カップの開口の境界を形成する切断縁がボタン電池の製造時に付与される圧力により内向きにぐるりと曲げられないことを確実にする。
【００４０】
電池カップの内側と電池カバーの外側が重複面積内で互いから本質的に同じ距離にあることが特に好ましい。これは、特に電池カバーの内径と外径が電池カバーの切断縁の方向に一定であるとき、言い換えれば電池カバーが単一壁でありかつ側方領域内で円筒形であるとき、適用される。
【００４１】
この場合、本発明によるボタン電池は好ましくは支持リングを含み、この支持リング上に電池カバーの切断縁が、それが電池カップ中に完全に挿入されるときに載ることができる。
【００４２】
確かに、本発明によるボタン電池の電池カバーの切断縁が半径方向の外向きにまたは半径方向の内向きにぐるりと曲げられることがさらに可能である。縁をぐるりと曲げることにより製造された二重壁側方領域を持つハウジングカバーは例えばＤＥ１９６４７５９３で知られている。かかるハウジングカバーの使用は高い安定性を確実にする。さらに、縁面積内に鋭い縁がなく、かかるハウジングカバーの支持面積は伝統的なハウジングカバーに比較して著しく増加される。従って、支持リングは必要とされない。
【００４３】
反対に、二重壁ハウジングカバーの使用は電池で利用可能な内部容積に負の影響を持つ。従って、ボタン電池の電池カバーの縁を縁部内でのみぐるりと曲げることは異常ではない。
【００４４】
本発明によるボタン電池の特に好適な実施態様では、電池カップのベース領域に接近した距離にある電池カバーの側方領域の少なくとも一部は本質的にＬ形状断面を持つ。電池カバーの切断縁によりぐるりと曲げられている電池カバーの側方領域の部分は好ましくはぐるりと曲げられていない縁部の領域に対して本質的に直角に、すなわちこれらの領域から出発して約８０°〜１００°、好ましくは約８５°〜９５°、特に約９０°にわたって外向きまたは内向きに曲げられて配置される。かかる電池カバーは例えばＷＯ２００７／０６２８３８の図２に開示されている。
【００４５】
さらなる好適な実施態様では、電池カップのベース領域に接近した距離にある本発明によるボタン電池の電池カバーの側方領域の少なくとも一部は本質的にＵ−形状断面を持つ。この実施態様では、電池カバーの切断縁によりぐるりと曲げられる電池カバーの側方領域の部分は、ぐるりと曲げられた部分がぐるりと曲げられていない縁部の領域に本質的に平行に整列されるまで外向きまたは内向きにぐるりと曲げられる。縁部の領域から出発して、それは約１８０°を通して外向きまたは内向きにぐるりと曲げられ、従ってそれはまた、これをスエージ加工縁（ｓｗａｇｅｄ  ｅｄｇｅ）と呼ぶことができる。かかる電池カバーは例えばＷＯ２００７／０６２８３８の図７に開示されている。
【００４６】
電池カバーの切断縁が半径方向の外向きにぐるりと曲げられている実施態様では、切断縁、または切断縁と一緒にぐるりと曲げられた側方領域の部分は、半径方向の内向きに絞られることが好ましい。これは、Ｌ形状及びＵ形状に外向きにぐるりと曲げられている縁を持つ電池カバーの場合の両方で適用される。この実施態様では、電池カバーの切断縁は、ぐるりと曲げられていないカバーの側方領域の部分の外径に等しいかまたは外径より小さい半径を持つことが好ましい。
【００４７】
また、ぐるりと曲げられていない電池カバーの側方領域の部分の外径は切断縁の半径より小さいことも好ましいかもしれない。これは、特に本発明によるボタン電池の洩れ密封性に関して有利でありうる。半径間の差は、この実施態様では、ハウジングカバーの壁厚の５０％未満であることが好ましい。
【００４８】
電池カバーの側方領域（その全高と呼ぶ）の５０％を越えない部分が外向きまたは内向きにぐるりと曲げられることが特に好ましい。特に好ましいのは２５％未満、特に１０％未満である。
【００４９】
本発明によるボタン電池の電池カップの内側及び電池カバーの外側の間の距離に関して、それは電池カップの側方領域と電池カバーの側方領域の重複面積内で１０μｍ〜７５μｍ、特に３０μｍ〜５０μｍにあることが好ましい。既に上で検討したように、電池カップの内側と電池カバーの外側の間の距離は本質的に重複面積内のシールの「最終厚さ」に相当する。
【００５０】
本発明の範囲では、好ましくは電池カップは３０μｍ〜１５０μｍの壁厚を持って使用される。この範囲内では、７０μｍ〜１００μｍの値が特に好ましい。
【００５１】
電池カバーは同様な性質を持つ。それは好ましくは５０μｍ〜２００μｍ、特に１００μｍ〜１３０μｍの壁厚で使用される。
【００５２】
本発明によるボタン電池の電池カップ及び／または電池カバーは、金属から、特にニッケル、鋼及び銅の順序を持つトリメタル（ｔｒｉｍｅｔａｌ）からなることが特に好ましい。もちろん、最初に述べた深絞り金属板もまた使用されることができる。
【００５３】
本発明によるボタン電池の特に好適な実施態様では、電池カバーの側方領域と重複しない電池カップの側方領域の少なくとも一部は半径方向の内向きに絞り込まれる。従って、側方領域のこの部分の外径は重複面積内の側方領域の外径より小さい。既に上述したように、この凹みにより改善された洩れ密封性が達成されることができる。外径間のこの差は重複面積内の電池カップの内側と電池カバーの外側の間の距離より小さいことが好ましい。
【００５４】
本発明の述べた利点及びさらなる利点は、従属請求項に関連した以下の図面の説明から明らかになるであろう。この場合、本発明の個々の特徴はそれら自身でまたは互いに組み合わせて実施されることができる。述べられた実施態様は本発明の説明のため及びより良い理解のためのみを意図されており、限定して決して解釈されるべきでない。
【図面の簡単な説明】
【００５５】
【図１】図１は、本発明によるボタン電池のハウジング、及びそれと比較したフランジ付け切断縁を持つ伝統的なボタン電池のハウジングの断面を概略的に示す。
【００５６】
【図２】図２は、本発明によるボタン電池を製造するための方法を示す。
【発明を実施するための形態】
【００５７】
図１には、本発明によるボタン電池（Ｂ）のハウジング１及び電池カップの縁がフランジ付けされている伝統的なボタン電池（Ａ）のそれが与えられている。伝統的なボタン電池のハウジング並びに本発明によるボタン電池のそれはそれぞれ電池カップ２及び電池カバー３から組み立てられている。両方の場合では、これらは互いにシール４により連結されている。伝統的なボタン電池の場合、電池カップ２の開口縁は電池カバー３の縁の上に内向きにぐるりと曲げられているが、本発明によるボタン電池の場合、これは当てはまらない。
【００５８】
本発明によるボタン電池のハウジング１の場合、電池カバー３及び電池カップ２の側方領域２ｂと３ｂは重複し、重複領域５をもたらすことは容易に認められる。重複領域５の電池カップ２の内径は切断縁２ｄまで本質的に一定である。従って、本発明によるボタン電池のハウジング１は、伝統的ボタン電池（Ａ）の場合のように内向きにぐるりと曲げられた切断縁を持たない。電池カップ２の切断縁２ｄは電池カバー３の側方領域３ｂの外側に隣接する。
【００５９】
電池カップ２は本質的に平坦なベース領域２ａ、本質的に円筒状の側方領域２ｂ、及び縁領域２ｃを含む。切断縁２ｄは電池カップ２の開口縁を形成する。
【００６０】
電池カバー３は本質的に平坦なカバー領域３ａ、本質的に円筒状の側方領域３ｂ、及び縁領域３ｃを含む。切断縁３ｄは電池カバー３の開口縁を形成する。
【００６１】
縁領域２ｃは鋭角の形を持ち、一方縁領域３ｃはカバー領域３ａと側方領域３ｂの間の比較的平らになった結合部である。伝統的なボタン電池の場合、かかる平らになった結合部は電池カップ２の縁を内向きにぐるりと曲げることを可能にするために必要である。本発明によるボタン電池はこのための必要性を除去する。従って、領域３ｃを鋭角として設計することも可能である。縁領域３ｃは、線３ｅに沿った一方側を本質的に平坦なカバー領域３ａによりかつ線３ｆに沿った他方側を本質的に平坦なカバー領域３ａに対して直角に配置されている取巻く、本質的に円筒状側方領域３ｂにより限定される。
【００６２】
さらに、領域６が与えられ、そこでは電池カバーの側方領域３ｂと重複しない電池カップ２の側方領域２ｂが半径方向の内向きに絞り込まれる。従って、電池カップ２の側方領域の外径は重複領域５の側方領域の外径より領域６では小さい。
【００６３】
図２には、本発明による方法の本質的工程が与えられている（工程Ａ〜Ｅ）。工程Ａでは、電池カップ２と電池カバー３が準備される。電池カップ２は平坦なベース領域２ａ並びに側方領域２ｂを含む。側方領域２ｂは円錐形であり、そこではこの円錐角は示威の目的のため上述の好適値を著しく越えている。切断縁２ｄは電池カップ２の開口縁を形成し、従って一方側の側方領域を限定する。他方側で、側方領域２ｂは、本件の場合に鋭角の形である縁領域２ｃにより限定される。電池カバー３はカバー領域３ａと側方領域３ｂを含む。ベース領域２ａと同様に、カバー領域３ａは本質的に平坦である。電池カップ２の円錐形側方領域とは対照的に、側方領域３ｂは本質的に円筒状の幾何学的形状を持つ。側方領域３ｂは側方領域２ｂに類似して、一方側をカバーの開口縁を形成する切断縁３ｄにより、他方側を縁領域３ｃにより限定される。この場合、縁領域３ｃは例えば電池カップ２の場合と同様に鋭角の形ではない。
【００６４】
工程Ｂでは、シールが電池カバー３の側方領域３ｂに付与され、特にフィルムシール４が付与される。このシールは、例として、側方領域３ｂ上に収縮されることができる収縮フィルムであることができる。シールはほとんど縁領域３ｃまで延び、そこではそれは下方部で電池カバー３の切断縁３ｄの周りに内向きにひっくり返されることが明らかに認識できる。
【００６５】
工程Ｃでは、付与されたシール４を持つ電池カバー３は電池カップ２中に置かれるかまたは挿入される。これから、組み立てられた装置は電池カバー３の外側と電池カップ２の内側の間に隙間７を持つ結果となる。電池カバーの側方領域３ｂと電池カップの側方領域は領域５内で重複する。
【００６６】
工程Ｄでは、側方領域２ｂ及びそれと一緒に切断縁２ｄは、隙間７が閉じられるように半径方向力により内向きに押される。ボタン電池は、互いに平行に配置されかつ重複面積５内で本質的に互いから同じ距離にある側方領域３ｂと２ｂを持つ結果となる。
【００６７】
最後の任意工程Ｅでは、電池カップ２の側方領域２ｂの一部は半径方向の内向きに絞り込まれる。特に、これは側方領域３ｂと重複しない領域５までの電池カップ２の部分に付与される。絞り込みの工程は凹み６をもたらす。絞り込まれる面積内で、シール４は切断縁３ｄまたは電池カバー３の開口縁に対して押圧される。これは、本発明によるボタン電池の洩れ密封性を著しく改善する。
【図１】
2012523067.tif 000003
【図２】
2012523067.tif 000004
【国際調査報告】
2012523067.tif 000005
2012523067.tif 000006
2012523067.tif 000007
2012523067.tif 000008
2012523067.tif 000009
2012523067.tif 000010